(57)【要約】【課題】    画像データの観察環境条件から、最適な色変換パラメータを決定する。【解決手段】  画像処理装置１００は、表示装置１０、照明３０、電動カーテン４０、照度センサ５０から、画像処理システム１０００の画像データの観察環境を表す観察環境情報を取得し、画像データＧＤから、画像データＧＤのＥｘｉｆ情報を取得する。観察環境情報とは、例えば、照明３０の電源のＯＮ／ＯＦＦ情報や、表示装置１０の輝度設定情報などを示す。画像処理装置１００は、入力された画像データＧＤに対して、取得した観察環境情報およびＥｘｉｆ情報等に基づき、色変換パラメータを決定し、色変換パラメータを使用して、カラーマッチングを考慮した色変換処理を含む画像処理を行う。画像処理装置１００は、画像処理後の画像データＧＤ２を表示装置１０に、画像処理後の画像データＧＤ３を電子ペーパー６０に出力する。【選択図】  図１
2006135887.tif 000002
【特許請求の範囲】
【請求項１】
入力装置から入力された画像データに対して色変換処理を施して出力装置へと出力する画像処理装置であって、
前記画像データが観察される環境を表す観察環境情報を取得する観察環境情報取得手段と、
前記取得された観察環境情報に基づき、前記観察環境に依存することなく、前記画像データの色の見えを等しくするための色変換変数を決定する変数決定手段と、
前記画像データに対して、前記決定された色変換変数を用いて色変換を実行する色変換処理手段を備える画像処理装置。
【請求項２】
入力装置から入力された画像データに対して色変換処理を施して出力装置へと出力する画像処理装置であって、
前記画像データの出力時の観察環境を表す観察環境情報を取得する観察環境情報取得手段と、
前記取得された観察環境情報に基づき、前記画像データの出力時の観察環境を反映した色の見えを実現するための第１の色変換変数を決定する第１の変数決定手段と、
前記入力された画像データを表す色空間を、入力装置の機器依存色空間から機器独立色空間へと色変換を実行する第１の色変換処理手段と、
前記機器独立色空間を、入力時における観察環境に依存しない色の見えを表す第１の均等色空間へと色変換を実行する入力観察環境反映手段と、
前記第１の均等色空間に対して、入力装置が再現可能な色域と、出力装置が再現可能な色域とを対応させる座標変換を実行して第２の均等色空間とする座標変換処理手段と、
前記第２の均等色空間を、出力時における観察環境を考慮し、前記第１の色変換変数に基づき、前記機器独立色空間へと色変換を実行する出力観察環境反映手段と、
前記色変換された機器独立色空間を、出力装置の機器依存色空間へと色変換を実行する第２の色変換処理手段とを備える画像処理装置。
【請求項３】
請求項２記載の画像処理装置であって、
前記第１の色変換変数は、
観察環境において基準の白色となる参照白色の三刺激値と、
絶対的な明るさを表す、順応視野の輝度と、
観察時の周囲の状態を表す観察条件に対応付けられた観察条件係数とを含む変数である画像処理装置。
【請求項４】
請求項３記載の画像処理装置であって、
前記観察環境情報は、前記画像データを表示する表示装置の設定内容を表す表示装置設定情報を含み、
前記表示装置設定情報は、前記表示装置の色温度の設定情報である色温度設定情報を含み、
前記第１の変数決定手段は、前記色温度設定情報に基づき、前記第１の色変換変数の参照白色の三刺激値を決定する画像処理装置。
【請求項５】
請求項３記載の画像処理装置であって、
前記観察環境情報は、前記画像データの観察環境における周囲の色彩値を含み、
前記第１の変数決定手段は、前記色彩値に基づき、前記第１の色変換変数の参照白色の三刺激値を決定する画像処理装置。
【請求項６】
請求項３ないし請求項５いずれか記載の画像処理装置であって、
前記観察環境情報は、前記画像データを表示する表示装置の設定内容を表す表示装置設定情報を含み、
前記表示装置設定情報は、前記表示装置の輝度設定情報を含み、
前記第１の変数決定手段は、前記輝度設定情報に基づき、前記第１の色変換変数の順応視野の輝度を決定する画像処理装置。
【請求項７】
請求項３ないし請求項６いずれか記載の画像処理装置であって、
前記観察環境情報は、前記画像データの観察環境の周囲の明るさを調整する調光機器の設定内容を表す調光設定情報を含み、
前記調光設定情報には、前記調光機器の調光状態が含まれ、
前記第１の変数決定手段は、前記調光状態に基づき、前記第１の色変換変数の観察条件係数を決定する画像処理装置。
【請求項８】
請求項３ないし請求項６いずれか記載の画像処理装置であって、
前記観察環境情報には、前記画像データの観察環境における周囲の照度値が含まれ、
前記第１の変数決定手段は、前記照度値に基づき、前記第１の色変換変数の観察条件係数を決定する画像処理装置。
【請求項９】
請求項２ないし請求項８いずれか記載の画像処理装置であって、
前記第１の変数決定手段は、前記出力装置の前記画像データの表示形態に基づき、前記表示形態に適した前記第１の色変換変数を決定する画像処理装置。
【請求項１０】
請求項９記載の画像処理装置であって、
前記出力観察環境反映手段は、前記出力装置が前記表示装置である場合に、前記第１の変数決定部が、前記表示装置設定情報に基づき決定した第１の色変換変数を用いて、前記色変換を実行する画像処理装置。
【請求項１１】
請求項２ないし請求項１０いずれか記載の画像処理装置であって、
更に、
前記画像データの撮影時の撮影環境を表す撮影環境情報を取得する撮影環境情報取得手段と、
前記取得された撮影環境情報に基づき、前記画像データ撮影時の撮影環境に依存しない色の見えを実現するための第２の色変換変数を決定する第２の変数決定手段とを備え、
前記入力観察環境反映手段は、前記第２の色変換変数に基づき、前記機器独立色空間から前記第１の均等色空間へと色変換を実行する画像処理装置。
【請求項１２】
請求項１１記載の画像処理装置であって、
前記第２の色変換変数は、
撮影環境において基準の白色となる参照白色の三刺激値と、
絶対的な明るさを表す、順応視野の輝度と、
撮影時の周囲の状態を表す撮影条件に対応付けられた撮影条件係数とを含む変数である画像処理装置。
【請求項１３】
請求項１２記載の画像処理装置であって、
前記撮影環境情報取得手段は、前記画像データに関する画像情報を取得し、
前記画像情報には、前記画像データの付帯情報が含まれ、
前記第２の変数決定手段は、前記画像データの付帯情報に基づき、前記第２の色変換変数の参照白色の三刺激値を決定する画像処理装置。
【請求項１４】
請求項１２または請求項１３記載の画像処理装置であって、
更に、
前記画像データを解析し、前記画像データの平均輝度値を算出する平均輝度値算出手段を備え、
前記第２の変数決定手段は、前記平均輝度値に基づき、前記第２の色変換変数の順応視野の輝度を決定する画像処理装置。
【請求項１５】
請求項１２または請求項１３記載の画像処理装置において、
前記撮影環境情報取得手段は、前記画像データに関する画像情報を取得し、
前記画像情報には、前記画像データの付帯情報が含まれ、
前記第２の変数決定手段は、前記画像データの付帯情報に基づき、前記第２の色変換変数の順応視野の輝度を決定する画像処理装置。
【請求項１６】
請求項１３または請求項１５記載の画像処理装置であって、
前記画像データの付帯情報とは、Ｅｘｉｆ情報である画像処理装置。
【請求項１７】
画像データに対して色変換処理を施す画像処理方法であって、
（ａ）前記画像データが観察される環境を表す観察環境情報を取得する工程と、
（ｂ）前記取得された観察環境情報に基づき、前記観察環境に依存することなく、前記画像データの色の見えを等しくするための色変換変数を決定する工程と、
（ｃ）前記画像データに対して、前記決定された色変換変数を用いて色変換を行う工程とを実行する画像処理方法。
【請求項１８】
入力装置から入力された画像データに対して色変換処理を施して出力装置へと出力する画像処理方法であって、
（ａ）前記画像データの出力時の観察環境を表す観察環境情報を取得する工程と、
（ｂ）前記取得された観察環境情報に基づき、前記画像データの出力時の観察環境を反映した色の見えを実現するための第１の色変換変数を決定する工程と、
（ｃ）前記入力された画像データを表す色空間を、入力装置の機器依存色空間から機器独立色空間へと色変換を実行する工程と、
（ｄ）前記機器独立色空間を、入力時における観察環境に依存しない色の見えを表す第１の均等色空間へと色変換を実行する工程と、
（ｅ）前記第１の均等色空間に対して、入力装置が再現可能な色域と、出力装置が再現可能な色域とを対応させる座標変換を実行して第２の均等色空間とする工程と、
（ｆ）前記第２の均等色空間を、出力時における観察環境を考慮し、前記第１の色変換変数に基づき、前記機器独立色空間へと色変換を実行する工程と、
（ｇ）前記色変換された機器独立色空間を、出力装置の機器依存色空間へと色変換を実行する工程とを備える画像処理方法。
【発明の詳細な説明】
【技術分野】
【０００１】
本発明は、画像データに対して色変換処理を実行する画像処理技術に関するものである。
【背景技術】
【０００２】
従来、種々の観察光源や観察条件の下において、色の見えに関する知覚量を予測し、観察環境に依存しない色の見えを表すカラーアピアランスモデルが使用されている。カラーアピアランスモデルを計算する上で必要なパラメータには、例えば、順応視野の輝度や、参照白色の三刺激値等が挙げられる。これらのパラメータは、ユーザによって入力設定された観察環境の条件に基づき設定される。観察環境の条件とは、例えば、蛍光灯、太陽光などの光源の種類や、照明の強さ等を表す（特許文献１参照）。
【０００３】
【特許文献１】特開２００１−１４３０６４号公報
【特許文献２】特開２００４−７２７５８号公報
【発明の開示】
【発明が解決しようとする課題】
【０００４】
しかしながら、カラーアピアランスモデルを計算するためのパラメータを特定するための観察環境条件は、多種多様である。そのため、適宜、ユーザが観察環境条件を入力設定することは、非常に煩雑で困難であった。また、設定ミスにより、適切な色変換を行うことができないという問題もあった。
【０００５】
本発明は、上記課題を解決するためになされたものであり、カラーアピアランスモデルを使用する際に、カラーアピアランスモデルの計算に用いる適切なパラメータを、簡易に設定することを目的とする。
【課題を解決するための手段】
【０００６】
本発明は、上述した課題の少なくとも一部を解決するために、第１の構成として以下の構成をとることとした。すなわち、
画像データに対して色変換処理を施す画像処理装置において、
前記画像データが観察される環境を表す観察環境情報を取得する観察環境情報取得手段と、
前記取得された観察環境情報に基づき、前記観察環境に依存することなく、前記画像データの色の見えを等しくするための色変換変数を決定する変数決定手段と、
前記画像データに対して、前記決定された色変換変数を用いて色変換を実行する色変換処理手段を備えることとしてもよい。
【０００７】
本発明の第１の構成における画像処理装置によれば、観察環境情報を取得し、取得した観察環境情報に基づき、色変換変数を決定することができる。従って、画像データを閲覧する環境を反映した適切な色変換変数を、簡易に決定することができる。画像処理装置は、決定された色変換変数を用いて色変換を行うため、色変換後の色空間に、画像データの観察環境を精度良く反映することができる。また、ユーザは、観察環境情報を入力設定する必要がなくなり、操作負担を軽減することができ、入力ミスを防止することができる。
【０００８】
本発明の第２の構成として、入力装置から入力された画像データに対して色変換処理を施して出力装置へと出力する画像処理装置において、
前記画像データの出力時の観察環境を表す観察環境情報を取得する観察環境情報取得手段と、
前記取得された観察環境情報に基づき、前記画像データの出力時の観察環境を反映した色の見えを実現するための第１の色変換変数を決定する第１の変数決定手段と、
前記入力された画像データを表す色空間を、入力装置の機器依存色空間から機器独立色空間へと色変換を実行する第１の色変換処理手段と、
前記機器独立色空間を、入力時における観察環境に依存しない色の見えを表す第１の均等色空間へと色変換を実行する入力観察環境反映手段と、
前記第１の均等色空間に対して、入力装置が再現可能な色域と、出力装置が再現可能な色域とを対応させる座標変換を実行して第２の均等色空間とする座標変換処理手段と、
前記第２の均等色空間を、出力時における観察環境を考慮し、前記第１の色変換変数に基づき、前記機器独立色空間へと色変換を実行する出力観察環境反映手段と、
前記色変換された機器独立色空間を、出力装置の機器依存色空間へと色変換を実行する第２の色変換処理手段とを備えることを要旨とする。
【０００９】
本発明の第２の構成における画像処理装置によれば、取得した観察環境情報を反映した色変換変数を決定し、決定された色変換変数を用いて、色変換を実行することができる。従って、簡易に、かつ、適切な色変換変数を決定することができる。また、画像データを表す色空間に対し、決定された色変換変数を用いて観察環境の影響に依存しない色の見えにする色変換を行うことができ、色変換の精度を向上することができる。
【００１０】
本発明の第２の構成における画像処理装置において、
前記第１の色変換変数は、
観察環境において基準の白色となる参照白色の三刺激値と、
絶対的な明るさを表す、順応視野の輝度と、
観察時の周囲の状態を表す観察条件に対応付けられた観察条件係数とを含む変数であることとしてもよい。
【００１１】
本発明によれば、色変換に必要な色変換変数である、参照白色の三刺激値、順応視野の輝度、および、観察条件係数を、取得した観察環境情報から簡易に決定することができる。
【００１２】
本発明の第２の構成における画像処理装置において、
前記観察環境情報は、前記画像データを表示する表示装置の設定内容を表す表示装置設定情報を含み、
前記表示装置設定情報は、前記表示装置の色温度の設定情報である色温度設定情報を含み、
前記第１の変数決定手段は、前記色温度設定情報に基づき、前記第１の色変換変数の参照白色の三刺激値を決定することとしてもよい。
【００１３】
また、本発明の第２の構成における画像処理装置において、
前記観察環境情報は、前記画像データの観察環境における周囲の色彩値を含み、
前記第１の変数決定手段は、前記色彩値に基づき、前記第１の色変換変数の参照白色の三刺激値を決定することとしてもよい。
【００１４】
また、本発明の第２の構成における画像処理装置において、
前記観察環境情報は、前記画像データを表示する表示装置の設定内容を表す表示装置設定情報を含み、
前記表示装置設定情報は、前記表示装置の輝度設定情報を含み、
前記第１の変数決定手段は、前記輝度設定情報に基づき、前記第１の色変換変数の順応視野の輝度を決定することとしてもよい。
【００１５】
また、本発明の第２の構成における画像処理装置において、
前記観察環境情報は、前記画像データの観察環境の周囲の明るさを調整する調光機器の設定内容を表す調光設定情報を含み、
前記調光設定情報には、前記調光機器の調光状態が含まれ、
前記第１の変数決定手段は、前記調光状態に基づき、前記第１の色変換変数の観察条件係数を決定することとしてもよい。
【００１６】
また、本発明の第２の構成における画像処理装置において、
前記観察環境情報には、前記画像データの観察環境における周囲の照度値が含まれ、
前記第１の変数決定手段は、前記照度値に基づき、前記第１の色変換変数の観察条件係数を決定することとしてもよい。
【００１７】
本発明によれば、取得した観察環境情報から、種々の色変換変数を、簡易に決定することができる。従って、ユーザは、本発明にかかる画像処理装置を使用することにより、簡易に色変換変数を決定して画像処理を行うことができるため、利便性の向上を図ることができる。また、本発明の画像処理装置が行う一連の処理において、ユーザによる入力設定等の操作が介在しないため、設定ミスを防止しすることができ、色変換の精度向上を図ることができる。
【００１８】
本発明の第２の構成における画像処理装置において、
前記第１の変数決定手段は、前記出力装置の前記画像データの表示形態に基づき、前記表示形態に適した前記第１の色変換変数を決定することとしてもよい。
【００１９】
本発明の構成によれば、出力装置の表示形態に適した色変換変数を用いて色変換を行うため、画像データの出力装置の設置された観察環境を反映した色変換処理を行うことができる。従って、精度の高い色変換変数を設定することができ、色変換の精度を向上することができる。
【００２０】
本発明の第２の構成における画像処理装置において、
前記出力観察環境反映手段は、前記出力装置が前記表示装置である場合に、前記第１の変数決定部が、前記表示装置設定情報に基づき決定した第１の色変換変数を用いて、前記色変換を実行することとしてもよい。
【００２１】
本発明の構成によれば、画像データを表示装置に出力する場合に、ユーザの観察環境情報の設定を必要とせず、表示装置から取得した表示装置設定情報を観察環境情報として簡易に設定することができるため、利便性を向上することができる。また、表示装置から取得した観察環境情報に基づき色変換変数を決定するため、出力装置に適した色変換変数を設定することができるため、色変換の精度向上を図ることができる。
【００２２】
また、本発明の第２の構成における画像処理装置において、
更に、
前記画像データの撮影時の撮影環境を表す撮影環境情報を取得する撮影環境情報取得手段と、
前記取得された撮影環境情報に基づき、前記画像データ撮影時の撮影環境に依存しない色の見えを実現するための第２の色変換変数を決定する第２の変数決定手段とを備え、
前記入力観察環境反映手段は、前記第２の色変換変数に基づき、前記機器独立色空間から前記第１の均等色空間へと色変換を実行することとしてもよい。
【００２３】
こうすれば、撮影時の環境を反映して、第１の均等色空間への色変換を実行することができるため、色変換の精度を更に向上することができる。
【００２４】
また、本発明の第２の構成における画像処理装置において、
前記第２の色変換変数は、
撮影環境において基準の白色となる参照白色の三刺激値と、
絶対的な明るさを表す、順応視野の輝度と、
撮影時の周囲の状態を表す撮影条件に対応付けられた撮影条件係数とを含む変数であることとしてもよい。
【００２５】
本発明によれば、色変換に必要な色変換変数である、参照白色の三刺激値、順応視野の輝度、および、撮影条件係数を、取得した撮影環境情報から簡易に決定することができる。
【００２６】
また、本発明の第２の構成における画像処理装置において、
前記撮影環境情報取得手段は、前記画像データに関する画像情報を取得し、
前記画像情報には、前記画像データの付帯情報が含まれ、
前記第２の変数決定手段は、前記画像データの付帯情報に基づき、前記第２の色変換変数の参照白色の三刺激値を決定することとしてもよい。
【００２７】
また、本発明の第２の構成における画像処理装置において、
更に、
前記画像データを解析し、前記画像データの平均輝度値を算出する平均輝度値算出手段を備え、
前記第２の変数決定手段は、前記平均輝度値に基づき、前記第２の色変換変数の順応視野の輝度を決定することとしてもよい。
【００２８】
また、本発明の第２の構成における画像処理装置において、
前記撮影環境情報取得手段は、前記画像データに関する画像情報を取得し、
前記画像情報には、前記画像データの付帯情報が含まれ、
前記第２の変数決定手段は、前記画像データの付帯情報に基づき、前記第２の色変換変数の順応視野の輝度を決定することとしてもよい。
【００２９】
本発明の第２の構成における画像処理装置において、記画像データの付帯情報とは、Ｅｘｉｆ情報であることとしてもよい。Ｅｘｉｆ情報には、画像データの撮影環境を表す情報が種々記録されているため、容易に、種々の撮影環境条件を取得することができる。
【００３０】
本発明において、上述した種々の態様は、適宜、組み合わせたり、一手段を省略したりして適用することができる。また、本発明は、上述した出力装置としての構成の他に、出力装置による出力方法、出力データを生成する出力データ生成装置と、出力装置と、データ生成装置および出力装置間において情報の授受を行う可搬型記録媒体とを有する出力システム、かかる出力システムによる出力方法、出力装置に出力データを出力させるためのコンピュータプログラム、かかるコンピュータプログラムをコンピュータ読み取り可能に記録した記録媒体等としても構成できる。いずれの構成においても、上述した各態様を適宜適用可能である。
【００３１】
コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【発明を実施するための最良の形態】
【００３２】
以下、本発明の実施の形態について、実施例に基づき、次の順序で説明する。
Ａ．実施例：
Ａ１．システム構成：
Ａ２．機能ブロック：
Ａ３．画像処理：
Ｂ．変形例：
【００３３】
Ａ．実施例：
Ａ１．システム構成：
図１は、本実施例におけるシステム構成を例示する説明図である。画像処理システム１０００は、画像処理装置１００と、表示装置１０と、デジタルカメラ２０と、照明３０と、電動カーテン４０と、照度センサ５０と、電子ペーパー６０とを備えている。表示装置１０、デジタルカメラ２０、照明３０、電動カーテン４０、照度センサ５０、電子ペーパー６０は、例えば、ＵＳＢケーブルなどを介して、画像処理装置１００にローカル接続されている。画像処理システム１０００は、ある決められた空間、例えば、部屋などに構成されている。
【００３４】
デジタルカメラ２０は、画像データＧＤを画像処理装置１００に入力する入力装置である。デジタルカメラ２０は、光の情報を、撮像素子に結象させることにより画像を取得するカメラである。本実施例では、撮像素子としてＣＣＤ(Charge Coupled Devices)を備える。撮像素子としてＣＭＯＳ等としてもよい。デジタルカメラ２０は、各構成画素に対してＲ，Ｇ，Ｂの各フィルタが所定の規則に従って配置されたＣＣＤを備えており、被写体に対応したデジタル画像データを生成する。デジタルカメラ２０は、生成した画像データを図示しないメモリカードに格納する。
【００３５】
表示装置１０は、画像データを表示するディスプレイを備えており、画像処理装置１００から出力された画像データＧＤ２をディスプレイに表示する。表示装置１０は、バックライトを使用して画像データＧＤ２等を表示する自発光型表示装置である。
【００３６】
電子ペーパー６０は、入力された画像データを表示する表示装置である。電子ペーパー６０は、バックライトを備えず、太陽光や照明の光など、周囲の光を反射して、画像データＧＤ等の情報を表示する反射型表示装置である。
【００３７】
照明３０は、一般的な蛍光灯であり、画像処理システム１０００が構成されている環境を照らす。電動カーテン４０は、電動カーテンレール４１と、カーテン４２とから構成されている。電動カーテン４０は、モーター４３を制御して、カーテンレール４４を駆動してカーテン４２の開閉を行い、窓４１から入射する太陽光を遮光する。
【００３８】
照度センサ５０は、画像処理システム１０００が構成されている環境における、光の照度や色彩値を測定するセンサである。画像処理システム１０００が構成されている室内の照度や輝度値、色彩値等は、照明３０や電動カーテン４０の状態によって、変化するため、照度センサ５０によって、室内の照度等を取得する。
【００３９】
画像処理装置１００は、表示装置１０、照明３０、電動カーテン４０、照度センサ５０から、画像処理システム１０００の画像データの観察環境を表す観察環境情報を取得する。観察環境情報とは、例えば、照明３０の電源のＯＮ／ＯＦＦ情報や、表示装置１０の輝度設定情報など、表示装置１０、照明３０、電動カーテン４０、照度センサ５０から取得した情報を示す。また、画像処理装置１００は、画像データＧＤから撮影時の情報である画像情報の取得、画像データＧＤの全画素の平均輝度値の算出を行う。画像情報は、画像データＧＤのヘッダ部分に記録されているＥｘｉｆ情報である。
【００４０】
画像処理装置１００は、入力された画像データＧＤに対して、取得した観察環境情報およびＥｘｉｆ情報、平均輝度値に基づき、色変換パラメータを決定し、色変換パラメータを使用して、カラーマッチングを考慮した色変換処理を含む画像処理を行う。画像処理装置１００は、画像処理後の画像データＧＤ２を表示装置１０に、画像処理後の画像データＧＤ３を電子ペーパー６０に出力する。カラーマッチングを考慮した色変換処理とは、撮影時の撮影環境や、出力装置の種類、出力装置の設置場所の環境を反映させ、観察環境の影響に依存しない色の見えにする色変換処理である。色変換処理において使用される色変換パラメータの決定処理は本願の発明の特徴部分であり、詳細は後述する。
【００４１】
Ａ２．機能ブロック：
図２は、本実施例における機能ブロックを例示する説明図である。画像処理装置１００は、ＣＰＵ１１０と、入出力部１２０と、メモリ１３０とを備えるコンピュータである。画像処理装置１００の各機能ブロックは、ＣＰＵ１１０によって制御されている。メモリ１３０は、色変換処理部１４０と、観察環境情報取得部１５０と、画像情報取得部１６０と、色変換パラメータ決定部１７０とから構成される。メモリ１３０に構成された各機能ブロックは、ソフトウェア的に構成されている。各機能ブロックはハードウェア的に構成されていることとしてもよい。
【００４２】
入出力部１２０は、デジタルカメラ２０等の入力装置、および、表示装置や電子ペーパー６０等の出力装置と画像データの送受信するためのインターフェースを備えている。また、電動カーテン４０、照明３０等の画像処理システム１０００の観察環境を構成する各種調光機器、および、照度センサ５０等の画像処理システム１０００の環境情報を計測する計測機器、等と情報の授受を行うインターフェースを有する。
【００４３】
観察環境情報取得部１５０は、表示装置１０の色温度設定情報、輝度設定値、電動カーテン４０の開閉状態、照明３０の電源のＯＮ／ＯＦＦの情報や、照度センサ５０が測定している画像処理システム１０００の環境における照度値や色彩値などを取得する。観察環境情報取得部１５０は、本発明における「観察環境情報取得手段」に当たる。
【００４４】
画像情報取得部１６０は、入力された画像データＧＤのＥｘｉｆ情報に記録されているシャッター速度やＩＳＯ感度の情報を取得する。また、画像情報取得部１６０は、画像データＧＤを解析して、画素値の平均値を算出する。画像情報取得部１６０は、本発明における「撮影環境情報取得手段」に当たる。
【００４５】
色変換パラメータ決定部１７０は、観察環境情報取得部１５０、画像情報取得部１６０が取得した情報に基づき、後述する色変換処理における計算に使用される色変換パラメータを決定する。本実施例では、ＣＩＥ（国際照明委員会：International Commission on Illumination）の規格によって定められている、ＣＩＥＣＡＭ０２を用いて画像データの色変換処理を行う。ＣＩＥＣＡＭ０２の色変換パラメータは、参照白色の三刺激値（Ｘｗ，Ｙｗ，Ｚｗ）と、順応視野の輝度（Ｌａ［ｃｄ／ｍ2］）と、背景の輝度率（Ｙｂ）と、観察条件係数（周囲の影響の大きさに関する係数Ｃ、クロマチックインダクション係数Ｎｃ、明度コントラスト係数ＦＬＬ、順応の程度を表す係数Ｆ）とが挙げられる。本実施例では、色変換パラメータ決定部１７０は、上述した色変換パラメータのうち、背景の輝度率（Ｙｂ）以外のパラメータを決定する。背景の輝度率（Ｙｂ）は、ユーザが任意に入力した値を使用する。色変換パラメータ決定部１７０は、本発明における第１の変数決定手段および第２の変数決定手段に当たる。
【００４６】
色変換処理部１４０は、色変換パラメータ決定部１７０が決定した色変換パラメータを使用して、ＣＩＥＣＡＭ０２に規定されている色変換式に基づき、色変換処理を実行する。色変換処理の詳細は、後述する。
【００４７】
ＣＰＵ１１０は、色変換処理された画像データを、出力装置である表示装置１０と電子ペーパー６０に出力する。
【００４８】
図３は、本実施例における色変換処理を模式的に示すブロックチャートである。以下に説明する各処理は、メモリ１３０に格納されている各機能ブロックを、ＣＰＵ１１０が実行することによって実現される。
【００４９】
入力信号色変換処理部１４１、入力観察環境反映部１４２、色域マッピング処理部１４３、出力観察環境反映部１４４、出力信号色変換処理部１４５は、色変換処理部１４０の一部として構成されている。入力信号色変換処理部１４１は、本発明における「第１の色変換処理手段」に、入力観察環境反映部１４２は、本発明における「入力観察環境反映手段」に、色域マッピング処理部１４３は、本発明における「座標変換処理手段」に、出力観察環境反映部１４４は、本発明における「出力観察環境反映手段」に、出力信号色変換処理部１４５は、本発明における「第２の色変換処理手段」に当たる。
【００５０】
入力信号色変換処理部１４１は、入力装置、すなわち、デジタルカメラ２０の機器依存色空間から機器独立色空間への色変換処理を行う。具体的には、入力信号色変換処理部１４１は、画像データＧＤの入力を検出すると、メモリ１３０に格納されている入力装置プロファイルＰＦ１から、入力装置の機器依存色空間から機器独立色空間への色変換情報を取得し、取得した色変換情報を用いて画像データの色空間を変換する。本実施例では、入力装置であるデジタルカメラ２０の機器依存色空間はＲＧＢ色空間であり、機器独立色空間はＸＹＺ色空間である。色変換情報には、ＲＧＢ色空間からＸＹＺ色空間への色変換テーブルが含まれる。色変換情報には、ＲＧＢ−ＸＹＺ色変換マトリクスが含まれることとしてもよい。図４に入力装置プロファイルＰＦ１の内容を例示した。
【００５１】
図４は、本実施例における入力装置プロファイルＰＦ１の内容を例示する説明図である。入力装置プロファイルＰＦ１には、ヘッダ部ＰＦ１１、機器独立色空間変換情報ＰＦ１２、色空間情報（入力プロファイル）ＰＦ１３が含まれる。ヘッダ部ＰＦ１１には、入力装置の種類を示すデバイス種、モデル名、入力装置プロファイルＰＦ１の作成日時が設定されている。機器独立色空間変換情報ＰＦ１２には、入力装置であるデジタルカメラ２０の機器依存色空間（ＲＧＢ色空間）を機器独立色空間（ＸＹＺ色空間）へと変換するために必要な色変換情報として、ＲＧＢ−ＸＹＺ色変換テーブルが設定されている。
【００５２】
色空間情報ＰＦ１３には、入力装置であるデジタルカメラの再現可能な色空間に関する情報が設定されている。入力装置プロファイルＰＦ１は、入力装置用ドライバのインストールと共にメモリ１３０に格納される。入力装置プロファイルＰＦ１は、例えば、画像データに含まれる等、画像データに関連付けられて提供されることとしても良い。
【００５３】
入力観察環境反映部１４２は、機器独立色空間によって表されている画像データＧＤに、光源等の観察環境を反映し、観察環境の影響に依存しない色の見えにする機能を備える。具体的には、入力観察環境反映部１４２は、色変換パラメータ決定部１７０から受け取った色変換パラメータを用いて、ＣＩＥＣＡＭ０２のＸＹＺ−ＪＣｈ変換式を適用して、画像データの色空間をＸＹＺ色空間から第１の均等色空間であるＪＣｈ色空間へと変換する。色変換パラメータ決定部１７０は、画像データＧＤから取得した画像情報に基づき、入力観察環境反映部１４２において用いられる色変換パラメータを決定する。かかる色変換パラメータの決定処理を、以下に説明する。
【００５４】
画像情報取得部１６０は、入力された画像データＧＤの一部として記録されているＥｘｉｆ情報２１から、ＩＳＯ感度や露出時間などを取得する。また、画像情報取得部１６０は、画像データＧＤの全画素の平均輝度値を算出する。図５を用いて、Ｅｘｉｆ情報２１の内容を説明する。
【００５５】
図５は、本実施例における画像データＧＤのＥｘｉｆ情報２１の一部を例示する説明図である。Ｅｘｉｆ情報２１には、図示するように、「画像タイトル」、「撮影日時」などの画像データＧＤに関する情報とともに、「色空間情報」、「ＩＳＯ感度」、「シャッター速度」、「絞り値」、「輝度値」等の画像データＧＤの撮影時の撮影環境が記録されている。Ｅｘｉｆ情報２１は、簡易に参照することができ、種々の値を取得することができるため、撮影時の環境を判断する判断材料として好適である。
【００５６】
画像情報取得部１６０は、Ｅｘｉｆ情報２１から、「ＩＳＯ感度」、「シャッター速度」および「絞り値」を取得し、色変換パラメータ決定部１７０に受け渡す。また、画像情報取得部１６０は、画像データＧＤの平均輝度値を色変換パラメータ決定部１７０に受け渡す。画像情報取得部１６０は、画像データＧＤの画素数を「ｎ」、各画素のＲ，Ｇ，Ｂの値をそれぞれ「Ｒ」、「Ｇ」、「Ｂ」として、以下の（式１）を適用することにより画像データＧＤの平均輝度値Ｌａｖを算出し、平均輝度値Ｌａｖを色変換パラメータ決定部１７０に受け渡す。
【００５７】
（式１）
【数１】
2006135887.tif 000003
【００５８】
また、色変換パラメータ決定部１７０は、Ｅｘｉｆ情報２１に記録されている輝度値Ｂｖ［ｆｔ−Ｌ］を用いて、以下の（式２）を適用して、通常順応視野の白色輝度Ｌｗ［ｃｄ／ｍ2］を算出する。
【００５９】
（式２）
【数２】
2006135887.tif 000004
【００６０】
色変換パラメータ決定部１７０は、また、絞り値Ａｖ、シャッター速度Ｔｖ、およびＩＳＯ感度ＩＳＯを用いて、以下の（式３）を適用することによっても、通常順応視野の白色輝度Ｌｗを算出することができる。
【００６１】
（式３）
【数３】
2006135887.tif 000005
【００６２】
色変換パラメータ決定部１７０は、受け渡された平均輝度値Ｌａｖを順応視野の輝度率Ｒａとし（Ｒａ＝Ｌａｖ）、（式２）もしくは（式３）によって算出された通常順応視野の白色輝度Ｌｗを用いて、以下の（式４）を適用することにより、順応視野の輝度Ｌａを算出する。
【００６３】
（式４）
【数４】
2006135887.tif 000006
【００６４】
色変換パラメータ決定部１７０は、このようにして算出した順応視野の輝度Ｌａを、入力観察環境反映部１４２に受け渡す。
【００６５】
入力観察環境反映部１４２は、受け渡された色変換パラメータに基づき、画像データの色空間を、ＸＹＺ色空間からＪＣｈ色空間へと色変換する。このように、画像データのＥｘｉｆ情報２１や画像データの平均輝度値に基づき決定された色変換パラメータを用いて色変換を行うことにより、ＪＣｈ色空間において、撮影時の撮影環境の影響に依存しない色の見えにする、換言すれば、観察環境の影響を取り除くことができる。
【００６６】
色域マッピング処理部１４３は、入力装置が再現可能な色空間の色域と、出力装置が再現可能な色域とを対応させる、すなわち、色域マッピング処理部１４３は、入力装置が再現可能な色空間の色域を出力装置が再現可能な色空間の色域にマッピングする機能を備える。具体的には、予め設定された色変換テーブルに基づき、第１の均等色空間（ＪＣｈ色空間）から、第２の均等色空間（Ｊ'Ｃ'ｈ'色空間）に変換する。
【００６７】
出力観察環境反映部１４４は、画像出力時における画像データの観察環境を反映し、観察環境の影響に依存する色の見えにする機能を備える。具体的には、出力観察環境反映部１４４は、色変換パラメータ決定部１７０から受け取った色変換パラメータを用いて、ＣＩＥの規格のよって定められているＣＩＥＣＡＭ０２のＸＹＺ−ＪＣｈ変換式の逆変換式を適用して、画像データの色空間を、第２の均等色空間であるＪ'Ｃ'ｈ'色空間から機器独立色空間であるＸＹＺ色空間へと変換する。色変換パラメータ決定部１７０は、表示装置設定情報取得部１５１、環境条件取得部１５２、および、調光設定情報取得部１５３から取得した観察環境情報に基づき、出力観察環境反映部１４４において用いられる色変換パラメータを決定する。かかる色変換パラメータの決定処理を、以下に説明する。
【００６８】
表示装置設定情報取得部１５１、環境条件取得部１５２、調光設定情報取得部１５３は、観察環境情報取得部１５０の一部として構成されている。
【００６９】
表示装置設定情報取得部１５１は、表示装置１０から、表示装置１０の色温度設定情報、輝度設定値等を取得する。色温度とは、ある色を放つ光源に含まれる、青紫光と赤色光の相対的な強さを表す数値であり、その光と同じ色の光を完全黒体が放射する時の黒体の温度である。単位はＫ(ケルビン)が用いられる。表示装置設定情報取得部１５１は、また、表示装置１０の輝度設定値を取得する。表示装置設定情報取得部１５１は、取得した表示装置１０の色温度設定情報および輝度設定値を、色変換パラメータ決定部１７０に受け渡す。
【００７０】
環境条件取得部１５２は、画像処理システム１０００が設置された環境において、照度センサ５０が計測する照度値Ｅｖ［ｌｕｘ］および色彩値（Ｘ，Ｙ，Ｚ）を取得し、色変換パラメータ決定部１７０に受け渡す。
【００７１】
調光設定情報取得部１５３は、照明３０の電源のＯＮ／ＯＦＦの情報および、電動カーテン４０の開閉状態（ｃｌｏｓｅ／ｏｐｅｎ）の情報を取得し、色変換パラメータ決定部１７０に受け渡す。
【００７２】
色変換パラメータ決定部１７０は、パラメータ対応情報１７１を有している。パラメータ対応情報１７１は、出力装置パラメータ対応情報１７１ａ、参照白色三刺激値決定情報１７１ｂ、観察条件特定情報１７１ｃ、および、観察条件係数決定情報１７１ｄから構成されており、表示装置設定情報取得部１５１、環境条件取得部１５２、調光設定情報取得部１５３、画像情報取得部１６０から受け渡された各種観察環境情報と、色変換パラメータを対応付ける情報である。出力装置パラメータ対応情報１７１ａ、参照白色三刺激値決定情報１７１ｂ、観察条件特定情報１７１ｃ、および観察条件係数決定情報１７１ｄの内容を、図６〜図９を用いて説明する。
【００７３】
図６は、本実施例における出力装置パラメータ対応情報１７１ａを例示する説明図である。出力装置パラメータ対応情報１７１ａは、「電動カーテンの開閉状態」と、「照明の電源状態」と、「表示装置のパラメータ」と、「電子ペーパーのパラメータ」とから構成される。
【００７４】
「電動カーテンの開閉状態」とは、電動カーテン４０の開閉の状態を示し、「ｃｌｏｓｅ」もしくは「ｏｐｅｎ」という値によって表される。「照明の電源状態」とは、照明３０の電源のＯｎ／Ｏｆｆの状態を示し、「Ｏｎ」もしくは「Ｏｆｆ」という値によって表示される。
【００７５】
「表示装置のパラメータ」とは、表示装置１０に出力する画像データに対して色変換処理を行う際に使用される色変換パラメータであり、参照白色の三刺激値（Ｘｗ，Ｙｗ，Ｚｗ）、輝度値（Ｌｗ）、および、観察条件係数（周囲の大きさに関する係数Ｃ、クロマチックインダクション係数Ｎｃ、明度コントラスト係数ＦＬＬ、順応の程度を表す係数Ｆ）から構成される。
【００７６】
「電子ペーパーのパラメータ」とは、電子ペーパー６０に出力する画像データに対して色変換処理を行う際に使用される色変換パラメータであり、参照白色の三刺激値（Ｘｗ，Ｙｗ，Ｚｗ）、輝度値（Ｌｗ）、および、観察条件係数（周囲の大きさに関する係数Ｃ、クロマチックインダクション係数Ｎｃ、明度コントラスト係数ＦＬＬ、順応の程度を表す係数Ｆ）から構成される。
【００７７】
色変換パラメータ決定部１７０は、出力装置パラメータ対応情報１７１ａに基づき、「表示装置のパラメータ」を以下のように決定する。例えば、電動カーテン４０が「ｃｌｏｓｅ」、すなわち電動カーテン４０が閉まっており、かつ、照明の電源が「Ｏｎ」である場合には、図示するように、参照白色の三刺激値（Ｘｗ，Ｙｗ，Ｚｗ）は、表示装置の色温度設定情報に基づき決定され、輝度値（Ｌｗ）は、表示装置１０の輝度設定値に基づき決定され、観察条件係数（Ｃ、Ｎｃ、ＦＬＬ、Ｆ）は、Ｌｗｄ／Ｌｗｓに基づき決定される。
【００７８】
参照白色の三刺激値は以下に説明するように決定される。色変換パラメータ決定部１７０は、参照白色三刺激値決定情報１７１ｂに基づき参照白色の三刺激値を決定する。参照白色三刺激値決定情報１７１ｂの内容を、図７を用いて説明する。
【００７９】
図７は、本実施例における参照白色三刺激値決定情報１７１ｂを例示する説明図である。参照白色三刺激値決定情報１７１ｂは、色温度設定情報と、参照白色の三刺激値（Ｘｗ，Ｙｗ，Ｚｗ）とから、構成される。図示するように、例えば、表示装置１０の色温度設定情報が「６５００Ｋ」である場合には、色変換パラメータである参照白色の三刺激値の「Ｘｗ」は「９５．０」と、「Ｙｗ」は、「１００．０」と、「Ｚｗ」は、「１０８．９」と決定される。
【００８０】
観察条件係数（Ｃ、Ｎｃ、ＦＬＬ、Ｆ）は、以下に説明するように決定される。色変換パラメータ決定部１７０は、観察条件特定情報１７１ｃに基づき観察条件を特定し、特定した観察条件および観察条件係数決定情報１７１ｄに基づき、観察条件係数を決定する。図８を用いて観察条件特定情報１７１ｃの内容を説明し、図９を用いて観察条件係数決定情報１７１ｄの内容を説明する。
【００８１】
図８は、本実施例における観察条件特定情報１７１ｃを例示する説明図である。観察条件特定情報１７１ｃは、観察条件と、「Ｌｗｄ／Ｌｗｓ」、すなわち、表示装置の白色輝度値Ｌｗｄと照度センサ５０から取得される画像処理システム１０００の設置環境における白色輝度値Ｌｗｓとの比とから構成される。観察条件とは、画像処理システム１０００において、画像データＧＤを観察する周囲の明るさの状態を表す。図示するように、例えば、Ｌｗｄ／Ｌｗｓの値が「０〜０．２」である場合には、観察条件は「薄暗い周囲」となる。色変換パラメータ決定部１７０は、こうして特定した観察条件と、以下に説明する観察条件係数決定情報１７１ｄに基づき、観察条件係数を決定する。
【００８２】
図９は、本実施例における観察条件係数決定情報１７１ｄを例示する説明図である。観察条件係数決定情報１７１ｄは、観察条件と、観察条件係数とから構成される。観察条件とは、図８において説明した観察条件を指す。観察条件係数は、周囲の影響の大きさに関する係数Ｃ、クロマチックインダクション係数Ｎｃ、明度コントラスト係数ＦＬＬ、順応の程度を表す係数Ｆを有する。図示するように、例えば、観察条件が「薄暗い周囲」である場合には、周囲の影響の大きさに関する係数Ｃは「０．５９」、クロマチックインダクション係数Ｎｃは「０．９」、明度コントラスト係数ＦＬＬは「１．０」、順応の程度を表す係数Ｆは「０．９」となる。
【００８３】
色変換パラメータ決定部１７０は、出力装置パラメータ対応情報１７１ａに基づき、「電子ペーパーのパラメータ」を以下のように決定する。例えば、電動カーテン４０が「ｏｐｅｎ」、すなわち電動カーテン４０が開いており、かつ、照明の電源が「Ｏｎ」である場合、色変換パラメータ決定部１７０は、参照白色の三刺激値（Ｘｗ，Ｙｗ，Ｚｗ）を、図示するように、照度センサ５０が測定する色彩値に基づき決定する。すなわち、電子ペーパー６０は反射型表示装置であるため、照度センサ５０の色彩値をＸ，Ｙ，Ｚとすると、参照白色の三刺激値（Ｘｗ，Ｙｗ，Ｚｗ）は相対値となる。従って、以下に示す（式５）を適用して算出する。
【００８４】
（式５）
【数５】
2006135887.tif 000007
【００８５】
また、色変換パラメータ決定部１７０は、観察条件係数に「平均的な周囲」と設定されていることから、観察条件係数決定情報１７１ｄに基づき、観察条件係数（Ｃ，Ｎｃ，ＦＬＬ，Ｆ）を決定する。色変換パラメータ決定部１７０は、また、輝度値（Ｌｗ）を、照度センサ５０が測定した照度値Ｅｖを用いて決定する。電子ペーパー６０は反射型表示装置であるため、照度センサ５０を照らした光が電子ペーパー６０に表示される画像データを照らしていると仮定して、以下の（式６）を適用することにより算出する。
【００８６】
（式６）
【数６】
2006135887.tif 000008
【００８７】
色変換パラメータ決定部１７０は、（式５）により算出された白色輝度値Ｌｗｓを、輝度値Ｌｗとして取り扱う。
【００８８】
図６に示す「基準値」とは、正確な環境パラメータが得られない場合に用いるデフォルト値である。本実施例では、デフォルト値は、機器ごとに標準的な値が予め設定されている。例えば、ユーザにデフォルト値を任意に設定させることとしてもよい。
【００８９】
色変換パラメータ決定部１７０は、このようにして取得した色変換パラメータを、出力観察環境反映部１４４に受け渡す。出力観察環境反映部１４４は、受け渡された色変換パラメータに基づき、画像データの色空間を、Ｊ'Ｃ'ｈ'色空間からＸＹＺ色空間へと色変換する。このように、画像データの出力装置の設定情報や出力装置が設置された環境に関する情報に基づき決定された色変換パラメータを用いて色変換を行うことにより、ＸＹＺ色空間において、観察環境の影響に依存する色の見えにすることができる。従って、画像データＧＤを、表示装置１０および電子ペーパー６０に出力した際に、各装置において、観察環境を反映した色の見えを再現することができる。
【００９０】
出力信号色変換処理部１４５は、機器独立色空間から、出力装置である表示装置１０および電子ペーパー６０の機器依存色空間への色変換処理を実行する。具体的には、出力信号色変換処理部１４５は、メモリ１３０に格納されている出力装置プロファイルＰＦ２およびＰＦ３から、出力装置の機器独立色空間から機器依存空間への色変換情報を取得し、取得した色変換情報を用いて画像データの色空間を変換する。
【００９１】
本実施例では、出力装置は、表示装置１０と電子ペーパー６０とが存在し、出力装置プロファイルＰＦ２は、表示装置１０に対応するプロファイルであり、出力装置プロファイルＰＦ３は、電子ペーパー６０に対応するプロファイルである。例えば、出力装置である表示装置１０の機器独立色空間はＸＹＺ色空間であり、機器依存色空間はＲＧＢ色空間である。出力装置プロファイルＰＦ２は、入力装置プロファイルＰＦ１と同様の構成であり、出力装置プロファイルＰＦ２の色変換情報には、ＸＹＺ色空間から、出力装置である表示装置のＲＧＢ色空間への色変換テーブルが含まれる。出力信号色変換処理部１４５は、色変換を行った画像データＧＤ２を表示装置１０へ、画像データＧＤ３を電子ペーパー６０へ出力する。
【００９２】
Ａ３．画像処理：
図１０は、本実施例における画像処理を説明するフローチャートである。画像処理装置１００は、画像データの色空間を、機器依存色空間であるＲＧＢ色空間から機器独立色空間であるＸＹＺ色空間に変換する入力信号色変換処理を実行する（ステップＳ１０）。次に、画像処理装置１００は、画像データＧＤの入力を検出すると、画像データＧＤからＥｘｉｆ情報２１や画素の平均輝度値等の画像情報を取得し（ステップＳ１１）、取得した画像情報に基づき、入力観察環境反映部１４２が行う色変換処理において使用される色変換パラメータを決定する（ステップＳ１２）。
【００９３】
画像処理装置１００は、決定された色変換パラメータを使用して、機器独立色空間であるＸＹＺ色空間から、第１の均等色空間であるＪＣｈ色空間へ色変換処理を行う（ステップＳ１３）。次に、画像処理装置１００は、ＪＣｈ色空間へ色変換された画像データＧＤに対して色域マッピング処理を実行し、第１の均等色空間であるＪＣｈ色空間から第２の均等色空間であるＪ'Ｃ'ｈ'色空間へ色変換処理を行う（ステップＳ１４）。
【００９４】
画像処理装置１００は、表示装置１０、照明３０、電動カーテン４０、照度センサ５０から、表示装置１０の色温度設定情報等の観察環境条件を取得し（ステップＳ１５）、取得した観察環境条件に基づき、出力観察環境反映部１４４が行う色変換処理において使用される色変換パラメータを決定する（ステップＳ１６）。本実施例では、出力装置として、表示装置１０と電子ペーパー６０とが存在するため、それぞれの観察環境に適切な色変換パラメータを決定する。
【００９５】
画像処理装置１００は、決定された色変換パラメータを使用して、第２の均等色空間であるＪ'Ｃ'ｈ'色空間から、機器独立色空間であるＸＹＺ色空間へ色変換処理を行う（ステップＳ１７）。かかる色変換処理において、表示装置１０に出力する画像データＧＤ２と電子ペーパー６０に出力する画像データＧＤ３を作成する。
【００９６】
画像処理装置１００は、決定された色変換パラメータを使用して、機器独立色空間であるＸＹＺ色空間から、機器依存色空間であるＲＧＢ色空間へ色変換処理を行い（ステップＳ１８）、画像データＧＤ２を表示装置１０へ、画像データＧＤ３を電子ペーパー６０へ出力する（ステップＳ１９）。
【００９７】
以上説明した実施例の画像処理システム１０００によれば、表示装置１０や照明３０、電動カーテン４０から取得した観察環境情報に基づき、色変換パラメータを決定することができるため、画像データの観察環境を適切に反映した精度の高い色変換パラメータを、簡易に設定することができる。また、ユーザが直接、手入力で色変換パラメータを設定する必要がないため、設定ミスを防止するとともに、利便性の向上を図ることができる。
【００９８】
また、本実施例の画像処理システム１０００によれば、画像データ撮影時の撮影環境を反映した色変換パラメータを設定することができ、観察環境の影響に依存しない色の見えにすること、すなわち、カラーアピアランスモデルを用いた色変換の精度を向上することができる。
【００９９】
また、本実施例によれば、画像データ撮影時の撮影環境を表す画像情報を、画像データに付随するＥｘｉｆ情報から取得することとしているため、簡易に画像情報を取得することができる。
【０１００】
また、本実施例によれば、同じ環境に設置された異なる出力装置（表示装置１０、電子ペーパー６０）について、表示装置は自発光表示装置であり、電子ペーパー６０は、反射型表示装置であるという、それぞれの表示形式の特性を考慮して色変換パラメータを設定し、出力装置ごとに出力すべき画像データを生成することができる。従って、特性の異なる出力装置に、同時に、画像データを出力する際にも、観察環境の影響に依存しない色の見えにすることができる。
【０１０１】
Ｂ．変形例：
以上、本発明の種々の実施例について説明したが、本発明はこれらの実施例に限定されず、その趣旨を逸脱しない範囲で種々の構成をとることができることは言うまでもない。例えば、以下のような構成をとることとしてもよい。
【０１０２】
Ｂ１．変形例１：
上述した実施例では、出力装置パラメータ対応情報１７１ａに基づき、各出力装置に適した色変換パラメータを決定することとしたが、これに限られない。例えば、照明３０や電動カーテン４０等、画像処理システム１０００の環境に配置された種々の調光機器から取得した観察環境情報に基づき、複数の参照白色の三刺激値のパターンを算出し、複数の参照白色の三刺激値のパターンの中から、いずれを使用するかを選択する選択部を備えることとしてもよい。こうすれば、最適な色変換パラメータを設定することができる。
【０１０３】
Ｂ２．変形例２：
上述した実施例では、入力観察環境反映部１４２および出力観察環境反映部１４４において使用する色変換パラメータを、各色変換パラメータが使用される色変換処理の直前に決定することとしたが、これに限られない。どのようなタイミングで決定することとしてもよい。環境条件パラメータも同様に、いずれのタイミングで取得することとしてもよい。
【０１０４】
Ｂ３．変形例３：
出力観察環境反映部１４４は、得られた環境パラメータを観察環境パラメータファイルとして保存し、これを参照して色変換を行うこととしてもよい。こうすれば、同一環境下で出力処理を行う場合に、再度、観察環境を取得する必要が無くなり、処理精度を向上することができる。
【０１０５】
Ｂ４．変形例４：
画像データのＥｘｉｆ情報に、撮影時の光源情報が記録されている場合には、かかる光源情報に基づき、入力観察環境反映部１４２において使用される色変換パラメータのうち、参照白色の三刺激値を決定することとしてもよい。
【０１０６】
Ｂ５．変形例５：
上述した実施例では、表示装置１０と電子ペーパー６０を出力装置とした。出力装置として、例えば、プリンタを含むこととしてもよい。かかる場合には、出力装置プロファイルに、ＸＹＺ色空間からＣＭＹＫ色空間に変換する色変換テーブルを含むこととすれば実現可能である。
【図面の簡単な説明】
【０１０７】
【図１】実施例におけるシステム構成を例示する説明図である。
【図２】実施例における機能ブロックを例示する説明図である。
【図３】実施例における色変換処理を模式的に示すブロックチャートである。
【図４】実施例における入力装置プロファイルＰＦ１の内容を例示する説明図である。
【図５】実施例における画像データのＥｘｉｆ情報の一部を例示する説明図である。
【図６】実施例における出力装置パラメータ対応情報を例示する説明図である。
【図７】実施例における参照白色三刺激値決定情報を例示する説明図である。
【図８】実施例における観察条件特定情報を例示する説明図である。
【図９】実施例における観察条件係数決定情報を例示する説明図である。
【図１０】実施例における画像処理を説明するフローチャートである。
【符号の説明】
【０１０８】
１０００...画像処理システム
１０...表示装置
２０...デジタルカメラ
３０...照明
４０...電動カーテン
４１...電動カーテンレール
４１...窓
４２...カーテン
４３...モーター
４４...カーテンレール
５０...照度センサ
６０...電子ペーパー
１００...画像処理装置
１２０...入出力部
１３０...メモリ
１４０...色変換処理部
１４１...入力信号色変換処理部
１４２...入力観察環境反映部
１４３...色域マッピング処理部
１４４...出力観察環境反映部
１４５...出力信号色変換処理部
１５０...観察環境情報取得部
１５１...表示装置設定情報取得部
１５２...環境条件取得部
１５３...調光設定情報取得部
１６０...画像情報取得部
１７０...色変換パラメータ決定部
１７１...パラメータ対応情報
１７１ａ...出力装置パラメータ対応情報
１７１ｂ...参照白色三刺激値決定情報
１７１ｃ...観察条件特定情報
１７１ｄ...観察条件係数決定情報
【図１】
2006135887.tif 000009
【図２】
2006135887.tif 000010
【図３】
2006135887.tif 000011
【図４】
2006135887.tif 000012
【図５】
2006135887.tif 000013
【図６】
2006135887.tif 000014
【図７】
2006135887.tif 000015
【図８】
2006135887.tif 000016
【図９】
2006135887.tif 000017
【図１０】
2006135887.tif 000018